(57)【要約】【課題】安価である上、設置や移動を容易に行う事ができると共に、盗難に対処し易く、永久使用も可能で、置物とすることも可能な耐火金庫を提供すること。【解決手段】円筒型、多面体型、球体、及び、動植物や自然の造形物を模した形の中から選択される何れかの外形を有する耐火金庫であって、少なくとも、開閉蓋又は扉、若しくは、その他の少なくとも一部の面を形成する部分の構成が、内部に水を貯留することのできる二重壁構造となっていると共に、少なくとも、該二重壁内部に注水するための注水口、金庫としての使用状態における水位を検知する水位検知手段、及び、該水位検知手段と連動し得る、警報のためのスイッチ手段、並びに、火災によって加熱された時に水蒸気を排出し得る手段を有することを特徴とする耐火金庫。【選択図】図１
2018104902.tif 000002
【特許請求の範囲】
【請求項１】
円筒型、多面体型、球体、及び、動植物や自然の造形物を模した形の中から選択される何れかの外形を有する耐火金庫であって、少なくとも、開閉蓋又は扉、若しくは、その他の少なくとも金庫の一部の面を形成する壁の構造が、内部に水を貯留することのできる二重壁構造となっていると共に、少なくとも、該二重壁内部に注水するための注水口、金庫としての使用状態における水位を検知する水位検知手段、該水位検知手段と連動し得る警報のためのスイッチ手段、及び、火災によって加熱された時に水蒸気を排出し得る手段を有することを特徴とする耐火金庫。
【請求項２】
少なくとも、開閉蓋又は扉を除く金庫本体部の壁の一部が内部に水を貯留することのできる二重壁構造となっている、請求項1に記載された耐火金庫。
【請求項３】
前記本体部の壁が、独立した少なくとも２つの組立て可能な部分からなり、該部分のうち、内部に水を貯留することのできる二重壁からなる各部品が、それぞれ前記注水口、前記水位検知手段、前記スイッチ手段、及び、前記水蒸気を排出し得る手段を有する請求項１又は２に記載された耐火金庫。
【請求項４】
前記耐火金庫の開閉蓋又は扉が、内部に水を貯留することのできる二重壁構造を有すると共に、独自の前記注水口、前記水位検知手段、前記スイッチ手段、及び、前記水蒸気を排出し得る手段を有する、請求項１〜３の何れかに記載された耐火金庫。
【請求項５】
前記水位検知手段がフロート手段を含む、請求項１〜４の何れかに記載された耐火金庫。
【請求項６】
水を貯留する事のできる二重壁内の底部又はその近傍側面に、貯留された水を抜くための排水手段を有するか、及び/又は、前記水蒸気を排出し得る手段が、火災発生時における水蒸気の排出により警報音を発生する鳴き笛装置である、請求項１〜５の何れかに記載された耐火金庫。
【請求項７】
前記鳴き笛装置と前記水位検知手段が一体化されてなる、請求項６に記載された耐火金庫。
【請求項８】
更に、何れかの個所に、ＧＰＳ発信装置を有する、請求項１〜７の何れかに記載された耐火金庫。
【請求項９】
平常時には水蒸気を排出できないように、排出口が封鎖手段、及び/又は、水蒸気圧によって開放可能な蓋によって塞がれている、請求項１〜８の何れかに記載された耐火金庫に使用する鳴き笛装置であって、前記封鎖手段が、少なくとも８０℃以上で熱変形又は消失する物質からなり、火災時に鳴き笛として機能し得ることを特徴とする鳴き笛装置。
【請求項１０】
常温〜５０℃において、前記水蒸気源となる水の水位検出機能を併せ持つ、請求項９に記載された鳴き笛装置。
【請求項１１】
前記封鎖手段が、０℃〜５０℃で十分安定であり、この温度範囲で、半永久的に前記排出口の封鎖機能を有し得る固形物及び/又はシート状物を用いる手段である、請求項９又は１０に記載された鳴き笛装置。
【発明の詳細な説明】
【技術分野】
【０００１】
本発明は耐火金庫に関し、特に設置や移動が容易であるにも関わらず、異常事態に迅速に対処可能であると共に、永久的に使用可能な耐火金庫及びそれに用いる鳴き笛装置に関する。
【背景技術】
【０００２】
従来の耐火金庫は、外壁と内壁の二重壁の間に、レンガや（軽量）コンクリート、石綿または砂などの無機質固体材料を充填したものであるために、重く、移動や設置が容易ではない上、充填剤の、微量ではあるものの連続的消失によって耐火性能が劣化するという欠点もあった。かかる欠点を改善するために、上記無機質固体材料の代わりに、熱可塑性樹脂及び／又は合成ゴム、りん化合物、中和処理された熱膨張性黒鉛、無機充填剤からなるような耐火膨張性シートを、前記内壁の外側又は外壁の内側の何れか一方に貼着させた耐火金庫が提案されている（特許文献1）。しかしながら、この場合には、耐火膨張性シートの材料が従来の無機質固体材料より高価であるため、金庫が高価となる上、無機質充填剤も使用するので、移動や設置容易性が十分であると言えるものではないという欠点があった。
【０００３】
また、外側から、耐火性断熱材料による嵩比重１．０ｇ／ｃｍ２以下の層、空気層及び/又は吸熱特性を有する材料を含む中間層、並びに、不燃性材料による嵩比重２０ｇ／ｃｍ２以下の層からなる内層の、少なくとも３層を含む多層構造壁とした、可搬性を有する耐火保管庫も提案されている（特許文献２）。しかしながらこの場合には、材料費が嵩むだけでなく構造が複雑になるので、保管庫が高価となる上軽量化にも限度があるという欠点があった。
【０００４】
上記のような欠点は、耐火金庫の６面の内少なくとも何れかの面が、内部に水を貯留することのできる二重壁となっていると共に、該二重壁内部に注水するための注水口を有することを特徴とする耐火金庫によって大幅に改善された（特許文献３）。しかしながらこの場合の金庫は、内部の水が、少しずつ蒸発するなど何らかの原因で減少して、本来の耐火性能を達成できなくなった場合でもそのことを知ることが困難であっただけでなく、破壊して内部の水を抜き出したりして盗まれる恐れもあるなど、耐火性能の維持管理や防犯対策の面で弱点があった。
【先行技術文献】
【特許文献】
【０００５】
【特許文献１】特開２０００−５４７３２号公報
【特許文献２】特開２０００−８２９３６号公報
【特許文献３】特開２００５−２４８５７３号公報
【０００６】
本発明者等は係る欠点を解決すべく鋭意検討した結果、金庫の二重壁内部の水位を検知できるようにすることによって、破壊等によって内部の水が漏出する事態に対しても迅速に対応することができること、これによって盗難防止機能も生じること、更に、適宜不足するに至った水を補充することにより、従来の発泡コンクリート等を使用する耐火金庫の場合とは異なり、容易に永久的使用が可能となることを見いだし、本発明に到達した。
【発明の概要】
【発明が解決しようとする課題】
【０００７】
したがって本発明の第１の目的は、軽量で設置や移動が容易且つ安価であるにもかかわらず、必要に応じて水を補給するだけで、永久的に使用し得る耐火金庫を提供することにある。
本発明の第２の目的は、軽量で設置や移動が容易であるにもかかわらず、盗難にあいにくい耐火金庫を提供することにある。
本発明の第３の目的は、維持管理が容易であるだけでなく、補修も容易な耐火金庫を提供することにある。
更に本発明の第４の目的は、本発明の耐火金庫に好適な、鳴き笛装置を提供することにある。
【課題を解決するための手段】
【０００８】
本発明の上記の諸目的は、耐火金庫の、開閉蓋又は扉を含む面の内、面積にして５０％以上の面が、内部に水を貯留することのできる二重壁構造となっていると共に、少なくとも、該二重壁内部に注水するための注水口、使用状態における水位を検知する水位検知手段、及び、該水位検知手段と連動し得る警報のためのスイッチ手段、並びに、火災時に水蒸気を排出し得る手段を有することを特徴とする耐火金庫、及び、該耐火金庫に好適な鳴き笛装置によって達成された。
本発明の耐火金庫の外形は箱型に限られず、円筒型、多面体型、球型のみならず、動物等を模した任意の形状であっても良いが、少なくとも、開閉蓋又は扉を除く本体部分の５０％以上の部分が、内部に水を貯留することのできる二重壁構造となっていることが好ましく、前記本体部分が、独立した少なくとも２つの組立て可能な部品からなり、該部品のうち、内部に水を貯留することのできる二重壁からなる単位が、それぞれ前記注水口、前記（異常）水位検知手段、前記スイッチ手段及び前記火災時に水蒸気を排出し得る手段を有する構造であっても良い。
また、内部に水を貯留する事のできる二重壁となっている部品同士は、二重壁の内部空間が、お互いに連通するように構成されることが好ましく、各部品をそれぞれ組立て可能な独立した部品としてもよく、更に、前記耐火金庫の開閉蓋又は扉が、内部に水を貯留することのできる二重壁構造を有すると共に、独自の前記注水口、前記水位検知手段、前記スイッチ手段及び火災時に水蒸気を排出し得る手段を有していても良い。
本発明においては、更に、設置した金庫を再設置するための移動を容易にするために、前記水を貯留する事のできる二重構造壁底部又は該底部近傍に、貯留された水を抜いて軽量化するための排水手段を有することが好ましく、火災発生時における金庫の爆発を防止するための水蒸気排出口からの、水蒸気の排出により警報音を発生する鳴き笛装置を有すること、特に、使用状態における二重構造壁の最上部に、該鳴き笛装置を有することが好ましい。また、前記鳴き笛装置は、注水口に、着脱可能に設けられていることが好ましく、特に、（異常）水位検知機能を併せ有する鳴き笛装置であることが好ましい。
【発明の効果】
【０００９】
本発明の耐火金庫は、水を抜けば軽量となるので、設置や移動が容易であるだけでなく、構造が単純であり、また材料費も大幅に節約する事ができるので安価である。更に、水位検知装置を含む警報装置を有し、予め設定する特定先への火災時の緊急連絡や、盗難時における緊急連絡にも対応することが可能となるので、発生した損害を最小にする事のできる金庫であり、動物等の外形を持たせて、置物として機能させることもできる。
【図面の簡単な説明】
【００１０】
【図１】本発明の円筒形耐火金庫における、水位検知装置５を有する二重壁の斜視概念図の一例である。本図では、蓋状の開閉扉は、従来と同様の、ナンバー錠を有する耐火扉となっている。
【図２】図１における、水位検知装置５の概念図であり、本図の場合には、螺旋状の凹部を有する注水口に取り付けられるように、下部に螺旋状の凸部を有している。
【図３】本発明の、水位検知機能を有すると共に、一定水位になった場合に警報回路を閉じるスイッチ機構が一体となった、鳴き笛装置５’の例を示す概念図である。この場合の装置胴部はテーパー状になっており、ゴム状弾性口(図に示せず)に押し込むタイプが例示されている。また、バネ１４によって感度を高められるように、両端に接点端部を有する棒状部材は、回転可能に、フロートＦから立ち上がる中央の支柱１５に設けられている。
【発明を実施するための形態】
【００１１】
以下、本発明を実施例に基づいて詳述するが、本発明はこれらの実施例に限定されるものではない。
図1は、従来型の耐火扉を有する場合の、本発明の円筒形耐火金庫の断面概念図である。図中の符合1は耐火金庫の本体内壁、２は外壁、３は該本体外壁を支えるために適宜設けられる梁であり、水が連通するように互い違いになっていたり、通水孔を有したりするものとすることができる。梁３の本数や向き、或いは長さや形状は適宜設計することができる。また、外壁を、更にセメントや石版等の不燃材や難燃性樹脂等で覆って強度を改善することもできるが、この態様に限定されるものではない。符合４は注水口、５は、注水口４に取り付けられた水位検知装置、６は、適宜取り付けることのできる排水手段であり、本図では底部近傍の側面に設けられたコック式開閉可能な排水手段となっているが、底部に、着脱可能な蓋を有する排水口等を設けても良いことは当然である。符号７は足であり、この足はキャスターであっても良いし、着脱自在に設けても良い。排水手段を必要としない小型金庫の場合や、本図のように、排水手段を底部に設けない場合には、足は無くてもよい。
【００１２】
本発明の耐火金庫を構成する材料は、従来から使用されている鋼板やステンレス或いはアルマイト等の耐食性の材料を使用すれば良いが、特にアルマイトは、軽量且つ安価であるので、永久使用にはこだわらない小型金庫の場合には、好ましい材料となり得る。
本発明においては、耐火金庫の外面を、更に難燃性プラスチックやガラス、陶磁器等で覆ったり彩色を施したりして、装飾しても良く、これによって、外観を、例えばウサギ、犬等の動物等の形状にして、置物として楽しむことも可能である。
【００１３】
本発明で使用する水位検知手段は、超音波や光の反射を利用する物理的手段、電気容量の変化等を利用する電気的手段、或いはフロート等を使用する機械的手段等の、公知の手段の中から適宜選択することができる。本発明においては、当初の水位より、一定程度水位が低下した場合に、その事態を知らせるためのスイッチが入るようにして、例えば、ベルや音声等の音による警報、赤色等の、電球やＬＥＤの点灯や点滅による警告等の直接的な方法、或いは、金庫の所有者や管理者が所有する受信機に向けて発信する発信器を動作させたり、更には、事態を知らせる音声や画像を金庫の所有者又は管理人等に受信させたりするというような電気通信手段、又は、これらの手段を組み合わせた手段によって、金庫の所有者や管理者等に、異常事態を知らせることができる。１１０番や１１９番に知らせることも可能である。  
【００１４】
また、小型金庫の盗難対策として、ＧＰＳ発信装置を付けておき、排水手段から水が抜かれたり、破壊等に伴って水位検知装置が動作し、異常水位になったと認識したりした場合等に、該ＧＰＳ発信装置のスイッチが入るように設計することもできる。あるいは、破壊を伴わず盗まれる盗難対策として、金庫の外側に、ＧＰＳのスイッチを設けておき、平時にはそのスイッチを切ってから解錠するようにしておき、それを知らずに解錠した場合にＧＰＳが動作するように設計することも可能である。このようなスイッチを別途格納する、簡単な番号式の施錠、開錠可能な、簡便な空間を金庫本体に設けたり、付属させたりすることも可能である。
【００１５】
上記したように、水位の低下は、窃盗等のために金庫が破壊されて二重壁内部の水が抜き出されたり、使用し始めてから長期間経過したとき、その他の何らかの理由で二重壁内部の水が減少したりして、耐火金庫としての性能を充分に発揮できなくなる恐れが生じた場合に起こる。前者の場合には、前記したような、例えばＧＰＳによる対策を講じておくことにより、事件の発生を迅速に知ったり、事件の早期解決の可能性を高めたりすることができる。
【００１６】
後者の場合には、水量が減少した原因があれば、その原因を補修等によって除くと共に、減少した水を注水口から補充すれば、再度使用することができるので、金庫自体を交換しなくて済ませることが可能となる。
このように、本発明の金庫は、設置や移動が容易であるだけでなく、盗難防止機能が高くなると共に、維持管理も容易で永久使用も可能となるという効果を奏する。
【００１７】
本発明の金庫においては、火災時に金庫の所在場所を知らせ、優先的に消火作業してもらえるように、水蒸気の発生によって発音する鳴き笛装置を有することが好ましい。このような鳴き笛装置５’は、公知のものの中から適宜選択することができる。図１においては鳴き笛装置５’を注水口４に設けているが、注水口４とは別に、鳴き笛装置５’を独立に設けても良い。注水口４に鳴き笛装置５’を設けない場合や、注水口４以外の場所に独立に鳴き笛装置５’を設ける場合には、注水口４に、水位検知装置５を設けることが好ましい。
【００１８】
水位検知装置５は、公知の水位検知器を適宜利用すれば良いが、平常時には絶縁体が介在しているために、或いは物理的に離れているために電気的に切断されているスイッチが、水位の低下に伴って入るような装置であれば、特定水位になった場合にスイッチが入る回路に組み込めるので好ましい。このようなスイッチの具体例としては、例えば、図２に記載されたような原理を利用するものを挙げることができる。実際の接点（Ｔ）については、例えばバネ付き接点を、通常はストッパー手段（図示せず）で留めておき、一定水位となったときに、該ストッパーが外される様にする等、適宜設計することができる。
また、接点の腐食を防止するために、接点周りを柔軟な水不透過性の袋等で密封したり（図２及び３の点線部）、接点間隔が変更可能な可動接点を筒中に密封したりするなど、適宜設計することができる。スイッチ手段部分を適宜交換しても良いことは当然である。
【００１９】
本発明においては、特に、水位検知機能を有する鳴き笛装置を使用することが好ましい。このような鳴き笛装置２０は、例えば図３に示すように、前記水位検知装置に、水蒸気の通過によって発音し得る小孔１０を有する、薄い金属板のような蓋９を適宜組み合わせて製造することができる。この小孔を、平時には水が蒸発しないように、水非透過膜や、詰め物によって封鎖する場合には、別途、水非透過性膜のような封鎖手段８は不要となる。いずれにしても、火災時には封鎖が解除され、二重壁内部に発生する水蒸気が出られるようになる。前記手段８は、例えば、熱によって解裂する熱収縮性フィルムで覆ったり、或いは、火炎や一定以上の温度で気化、溶融、分解、或いは焼失する、例えば、ろうや炭酸カルシウム等の物質によって小孔を塞いだりする等の、公知の手段の中から適宜選択することができる。これらの手段と共に、水蒸気圧で開閉可能な蓋を併用することもできる。
また、この装置の設置に際しては、図２の水位検知装置の場合と同様に、注水口にネジ式手段によって設置しても、例えば、本体を、図３の様にテーパー状にして、テーパー状ゴム状開口部等（図示せず）に押し込む事によって設置する事も可能であるなど、適宜、設置方法を選択することができる。水位検知装置の設置の場合も、同様に公知の手段の中から適宜選択して、金庫本体に設置することができる。
【００２０】
また、前記水位検知装置は、できるだけ金庫の上部に配置することが好ましく、特に、図２に示すように、金庫トップより上部に注水孔を突出させ、注水孔の水面が金庫の頭頂部より下にならないようにすることが好ましい。このようにすることにより、金庫本体二重壁中の水の減少が始まる前に、水の減少を検知することが可能となる。そのためには、二重壁中に空気が残存しないように、注水に際しては、金庫の底部にホースを差し込んで注水することが好ましく、金庫の全体構造を、設置状態で空気ポケットが生じないように設計しておくことが最も好ましい。
【００２１】
また、排水手段６は、公知の手段の中から適宜選択して用いることができ、例えば螺子式栓状のものであっても、図１に示すようなコック式のもの等であっても良い。排水手段６は、排水を容易且つ完全に行えるような位置に設けることが好ましいが、操作性の観点からは、図１に示すように必ずしも底面に設ける必要はない。
図1のように、底部近傍の側面からコック式で排水できるようにした場合には、災害等における緊急時の水源として金庫内の水を使用することも可能であるので、大型金庫の場合には、その点からのメリットも大きくなる可能性がある。
【００２２】
水を貯留する事のできる二重壁は、耐火金庫の全部であっても、１部だけであっても良いが、本体が、内部に水を貯留することのできる二重壁構造となっていることが、製造容易性及び材料費の低減等の観点から好ましい。また、二重壁の内面は熱交換効率が良くなるように、凹凸を付けるなどして冷却されるべき表面積を大きくすることが好ましい。上記した二重壁になっていない面は、従来の、何れかの材料及び構造の耐火壁とする必要がある。また、複数又は一部の面を独立に製造し、組立て可能に構成しても良いが、底面を含む本体の全ての面が内部に水を貯留する事のできる二重壁となっており、各面がその隣接する面と互いに連通していることが更に好ましい。組立て式とした場合でも、水を貯留する二重壁が２以上ある場合には、連通管によってこれら二重壁内部の水の行き来を確保する事が、耐火性能を安定化する上から好ましい。
【００２３】
本発明においては、異なる内圧で動作する複数の鳴き笛を設けても良い。このようにすると、火災時における耐火金庫の二重壁内圧力がどれくらいになっているか推定し易くなるので、消防活動の安全性確保の観点から好ましい。
【産業上の利用可能性】
【００２４】
本発明の耐火金庫は、従来のものより軽量にすることができ、設置や移動が容易となる上、盗難防止や窃盗による被害の最小化も可能であるだけでなく、補修も容易であり、装飾を施して、置物として楽しむ事も可能であるので、産業上極めて有用である。
【符号の説明】
【００２５】
１    耐火金庫の本体内壁
２    耐火金庫の本体外壁
３    本体外壁を支える梁
４    注水口
５    水位検知装置
５’    鳴き笛装置
６    排水手段
７    足
８    加熱蒸気によって破壊され得る、薄い水非透過性熱収縮性フィルム等の封鎖手段
９    加熱蒸気の通過によって発音可能な小孔１０を有する薄い金属板
１０  加熱蒸気の通過によって発音可能な小孔
１１  金庫の開閉蓋又は扉
１２  ナンバー錠
１３  鍵穴
１４  バネ
１５  支柱
２０  水位検知機能を有する鳴き笛装置
Ｆ    フロート
Ｔ    接点端子
【図１】
2018104902.tif 000003
【図２】
2018104902.tif 000004
【図３】
2018104902.tif 000005
【手続補正書】
【提出日】平成29年7月3日(2017.7.3)
【手続補正１】
【補正対象書類名】特許請求の範囲
【補正対象項目名】請求項９
【補正方法】変更
【補正の内容】
【請求項９】
平常時には水蒸気を排出できないように、水蒸気排出口が封鎖手段、及び/又は、火災による加熱時の水蒸気圧によって開放可能な蓋によって塞がれている、請求項１〜８の何れかに記載された耐火金庫に使用する鳴き笛装置であって、前記封鎖手段が、少なくとも８０℃以上で熱変形又は消失する物質からなり、火災時に鳴き笛として機能し得ることを特徴とする鳴き笛装置。
【手続補正２】
【補正対象書類名】明細書
【補正対象項目名】０００８
【補正方法】変更
【補正の内容】
【０００８】
本発明の上記の諸目的は、耐火金庫の、開閉蓋又は扉を除く面の内、好ましくは、面積にして５０％以上の面が、内部に水を貯留することのできる二重壁構造となっていると共に、少なくとも、該二重壁内部に注水するための注水口、使用状態における水位を検知する水位検知手段、及び、該水位検知手段と連動し得る警報のためのスイッチ手段、並びに、火災時に水蒸気を排出し得る手段を有することを特徴とする耐火金庫、及び、該耐火金庫に好適な鳴き笛装置によって達成された。
本発明の耐火金庫の外形は箱型に限られず、円筒型、多面体型、球型のみならず、動物等を模した任意の形状であっても良いが、少なくとも、開閉蓋又は扉を除く本体部分の５０％以上の部分が、内部に水を貯留することのできる二重壁構造となっていることが好ましく、前記本体部分が、独立した少なくとも２つの組立て可能な部品からなり、該部品のうち、内部に水を貯留することのできる二重壁からなる単位が、それぞれ前記注水口、前記（異常）水位検知手段、前記スイッチ手段及び前記火災時に水蒸気を排出し得る手段を有する構造であっても良い。
また、内部に水を貯留する事のできる二重壁となっている部品同士は、二重壁の内部空間が、お互いに連通するように構成されることが好ましく、各部品をそれぞれ組立て可能な独立した部品としてもよく、更に、前記耐火金庫の開閉蓋又は扉が、内部に水を貯留することのできる二重壁構造を有すると共に、独自の前記注水口、前記水位検知手段、前記スイッチ手段及び火災時に水蒸気を排出し得る手段を有していても良い。
本発明においては、更に、設置した金庫を再設置するための移動を容易にするために、前記水を貯留する事のできる二重構造壁底部又は該底部近傍に、貯留された水を抜いて軽量化するための排水手段を有することが好ましく、火災発生時における金庫の爆発を防止するための水蒸気排出口からの、水蒸気の排出により警報音を発生する鳴き笛装置を有すること、特に、使用状態における二重構造壁の最上部に、該鳴き笛装置を有することが好ましい。また、前記鳴き笛装置は、注水口に、着脱可能に設けられていることが好ましく、特に、（異常）水位検知機能を併せ有する鳴き笛装置であることが好ましい。
【手続補正３】
【補正対象書類名】明細書
【補正対象項目名】００１０
【補正方法】変更
【補正の内容】
【００１０】
【図１】本発明の円筒形耐火金庫における、水位検知装置５を有する二重壁の斜視概念図の一例である。本図では、蓋状の開閉扉は、従来と同様の、ナンバー錠及び／又は鍵穴を有する耐火扉となっている。
【図２】図１における、水位検知装置５の概念図であり、本図の場合には、螺旋状の凹凸部を有する注水口４に取り付けられるように、下部に螺旋状の凹凸部を有している。また、バネ１４によって感度を高められるように、両端に接点端部を有する棒状部材は、回転可能に、フロートＦから立ち上がる中央の支柱１５に設けられている。
【図３】本発明の、水位検知機能を有すると共に、一定水位になった場合に警報回路を閉じるスイッチ機構が一体となった、鳴き笛装置５’の例を示す概念図である。この場合の装置胴部はテーパー状になっており、ゴム状弾性口(図示せず)に押し込むタイプが例示されている。